(57)【要約】【課題】着用者の背中に対するフィット性が向上しており、優れた装着感や漏れ防止性能が得られる使い捨ておむつを提供すること。【解決手段】肌当接面を形成する表面シート２、吸収体４及び該吸収体の非肌当接面側の面を被覆する裏面シート３を有し、長手方向に、ファスニングテープを有する背側部Ａ、股下部Ｂ、及びファスニングテープを止着するランディングテープを有する腹側部Ｃを有する使い捨ておむつ１であり、裏面シート３に、おむつ長手方向に延びる、ダーツ部あるいはタック部９，９が形成されており、該ダーツ部あるいはタック部９は、該裏面シート３の一部が折り畳まれ、その折り畳まれた状態が固定されて形成されており、ダーツ部あるいはタック部３は、背側部Ａのウエストフラップ部Ｄに少なくとも一部分を有し、ウエストフラップ部Ｄに位置する部分の肌当接面Ｐ側が、表面シート２によって被覆されている。【選択図】図１
2010099279.tif 000002
【特許請求の範囲】
【請求項１】
肌当接面を形成する表面シート、吸収体及び該吸収体の非肌当接面側の面を被覆する裏面シートを有し、長手方向に、ファスニングテープを有する背側部、股下部、及びファスニングテープを止着するランディングテープを有する腹側部を有する使い捨ておむつにおいて、
前記裏面シートに、おむつ長手方向に延びる、ダーツ部あるいはタック部が形成されており、該ダーツ部あるいはタック部は、該裏面シートの一部が折り畳まれ、その折り畳まれた状態が固定されて形成されており、
前記ダーツ部あるいはタック部は、前記背側部のウエストフラップ部に少なくとも一部分を有し、該ウエストフラップ部に位置する部分の肌当接面側が、前記表面シートによって被覆されている、使い捨ておむつ。
【請求項２】
前記ダーツ部あるいはタック部は、前記背側部のウエスト端縁から前記股下部方向へ向かって延びている請求項１記載の使い捨ておむつ。
【請求項３】
前記ダーツ部あるいはタック部は、前記ウエストフラップ部に位置する部分と、前記背側部における前記吸収体の端縁の位置より股下部側に位置する部分とを有する、請求項１又は２記載の使い捨ておむつ。
【請求項４】
前記ウエストフラップ部における、前記表面シートと前記裏面シートとの間に、前記ダーツ部あるいはタック部と交差するように弾性部材が配されている、請求項１〜３の何れかに記載の使い捨ておむつ。
【発明の詳細な説明】
【技術分野】
【０００１】
本発明は、使い捨ておむつに関する。
【背景技術】
【０００２】
従来の使い捨ておむつ、特にファスニングテープを有する背側部のウエストフラップ部に、おむつ幅方向に伸縮する弾性部材を有しない使い捨ておむつにおいては、着用者の姿勢によっては、着用者の肌とウエストフラップ部との間に隙間が生じ易く、この隙間を介して、背中側に排泄物が漏れ出す恐れがある。
胴回り域からの漏れを防止する技術として、着用者の腹側及び／又は背側に配される胴回り域に、おむつ長手方向の端縁から縦方向へ延びるタック部を形成することが提案されている（特許文献１参照）。
また、腹側に配されるウエスト端縁の近傍に、該ウエスト端縁から股下部方向へ延びるダーツを設けたおむつも知られている（特許文献２参照）。
更に、ファスニングテープを有する背側部の裏面シート側に折込部を形成すると共に、該折込部を跨ぐように弾性シートを止着した使い捨ておむつが知られている（特許文献３参照）。
【０００３】
【特許文献１】特開２００１−１３７２８０号公報
【特許文献２】実開昭６２−１３２１０７号公報
【特許文献３】実開平７−１５０１８号公報
【発明の開示】
【発明が解決しようとする課題】
【０００４】
しかし、特許文献１，２におけるタック部やダーツ部は、肌当接面を形成する表面シート及び非肌当接面を形成する裏面シートを一体として折り畳み、その折り畳まれた状態を、表面シート側の面同士を接合することにより固定してなるものである。
そのため、表面シートの折り目が肌に当たり、肌に刺激を与えたり、着用者に違和感を与える恐れがある。
また、表面シート側の面同士の接合に接着剤を用いた場合、おむつを装着する際やおむつの着用中に、タック部やダーツ部を幅方向に拡げる強い力が加わり、露出した接着剤が、肌に接触する恐れがある。他方、表面シート側の面同士の接合に熱融着を用いた場合、融着により硬くなった部分が肌に接して、肌に刺激を与えたり、着用者に違和感を与える恐れがある。
【０００５】
特許文献３の使い捨ておむつは、前記折込部を跨ぐ弾性シートが伸縮することにより、着用者の体型にフィットするものであるが、弾性シートが最大限に伸長していない時には、おむつの肌当接面における、前記折込部に対応する部分に、隆起部やシワ、折り目等が生じており、それらの対向面同士が接着していないため長手方向に空洞状の隙間が生じ、背中側への漏れが生じ易くなる恐れがある。また、裏面シートに止着してある弾性シートの端縁が衣服などにひっかかったり、めくれて衣服と接着したりという不具合が起こるおそれがある。
【０００６】
従って、本発明の目的は、着用者の腰回りに対するフィット性及び漏れ防止性に優れると共に、着用者の肌に刺激を与えにくく、着用感にも優れた使い捨ておむつを提供することにある。
【課題を解決するための手段】
【０００７】
本発明は、肌当接面を形成する表面シート、吸収体及び該吸収体の非肌当接面側の面を被覆する裏面シートを有し、長手方向に、ファスニングテープを有する背側部、股下部、及びファスニングテープを止着するランディングテープを有する腹側部を有する使い捨ておむつにおいて、前記裏面シートに、おむつ長手方向に延びる、ダーツ部あるいはタック部が形成されており、該ダーツ部あるいはタック部は、該裏面シートの一部が折り畳まれ、その折り畳まれた状態が固定されて形成されており、前記ダーツ部あるいはタック部は、前記背側部のウエストフラップ部に少なくとも一部分を有し、該ウエストフラップ部に位置する部分の肌当接面側が、前記表面シートによって被覆されている、使い捨ておむつを提供することにより前記目的を達成したものである。
ここで述べるダーツ部とは、前記裏面シートを曲面化するために、裏面シートを楔型につまんで対向面全面を接着したもので、幅方向に拡げる力が加わっても折り目が展開しないものをいう。
タック部とは前記裏面シートをつまんで接着したもので、対向面全面ではなく一部を接着したものであり、幅方向に拡げる力が加わったときには折り目の非接着部分が展開して動きに対応できるような、余裕部分をもつものをいう。
ダーツ部及びタック部は、それぞれ、同様の構造を有するものである限り、裏面シートをつままない方法で形成したものであっても良い。
【発明の効果】
【０００８】
本発明の使い捨ておむつは、着用者の腰回りに対するフィット性及び漏れ防止性に優れると共に、着用者の肌に刺激を与えにくく、着用感にも優れている。また、裏面シート側に弾性シートが止着しているもののような衣服への不具合も起こらない。
【発明を実施するための最良の形態】
【０００９】
以下本発明を、その好ましい実施形態に基づき説明する。
図１は、本発明の一実施形態である使い捨ておむつを一部破断して示す平面図である。
本実施形態の使い捨ておむつ１（以下、単におむつ１ともいう）は、図１及び図２に示すように、肌当接面Ｐを形成する表面シート２、吸収体４及び該吸収体４の非肌当接面Ｑ側の面を被覆する裏面シート３を有している。
肌当接面Ｐは、着用時に着用者の肌側に向けられる面であり、非肌当接面Ｑは、着用時に着用者の肌側とは反対側に向けられる面である。
【００１０】
おむつ１は、いわゆる展開型のおむつであり、長手方向の一方の端縁１１から他方の端縁１２に向かって順に、ファスニングテープ５，５を有する背側部Ａ、股下部Ｂ、及びファスニングテープ５，５を止着するランディングテープ６を有する腹側部Ｃを備えている。ファスニングテープ５，５は、背側部Ａの左右両側縁部に設けられ、ランディングテープ６は、腹側部Ｃの外表面（非肌当接面）に設けられている。おむつの着用時には、通常、背側部Ａを着用者の背中側に位置させ、腹側部Ｃを着用者の腹側に位置させる。股下部Ｂは、着用者の股間に配される。
【００１１】
表面シート２は、液透過性の中央シート２１及び液不透過性又は撥水性の一対のサイドシート２２からなる。中央シート２１は、吸収体４よりも幅の大きい矩形状の平面視形状を有しており、おむつ１の幅方向中央部に配されている。中央シート２１は、おむつ１の長手方向の全長に亘って配されている。裏面シート３は、おむつの外形形状に一致する砂時計状の外形を有している。裏面シート３は、少なくとも吸収体４の非肌当接面Ｑ側の面を被覆する部分が液不透過性又は撥水性であることが好ましい。
【００１２】
サイドシート２２は、おむつ１の長手方向の両側それぞれに、中央シート２１の両側部を覆うように配されている。サイドシート２２は、おむつ幅方向においては、図１に示す直線７２ａより外方、おむつ長手方向においては、図１に示す直線７２ｂ、７２ｃより外方が、その下に位置する中央シート２１及び裏面シート３に接着剤を介して接合されている。他方、サイドシート２２における、直線７２ａ、直線７２ｂ及び直線７２ｃに囲まれた部分は、その下に配されたシート材に固定されておらず、おむつ幅方向内方の側縁近傍に配された弾性部材７１の収縮により、中央シート２１から離間して起立し、立体ギャザー７，７を形成する。
【００１３】
おむつ１の股下部Ｂにおける、吸収体４の長手方向の両側縁４１，４１それぞれの外方には、一対のレッグ部弾性部材８，８が配されている。レッグ部弾性部材８，８は、伸長状態で、裏面シート３とサイドシート２２との間に固定されており、脚廻りに配されるレッグ部にレッグギャザーを形成する。
【００１４】
図２及び図３に示すように、背側部Ａにおける裏面シート３には、おむつ長手方向に延びるダーツ部９，９が形成されている。本実施形態におけるダーツ部９，９は、背側部Ａのウエスト端縁１１から股下部Ｂ方向へ向かって延びている。
ダーツ部９，９は、図２に示すように、背側部Ａにおけるウエストフラップ部Ｄに形成されており、また、おむつの長手方向に延びる中央線ＣＬの両側それぞれに形成されている。２つのダーツ部９，９は、おむつの長手方向に延びる中央線ＣＬに対して線対称である以外は、同様の構成を有している。
ここで、ウエストフラップ部Ｄは、図１に示すように、おむつ長手方向における、ウエスト端縁１１と吸収体４の端縁４２の位置との間の領域である。ウエスト端縁１１とは、おむつ１の長手方向の両端に存する端縁１１，１２のうちの一方であり、吸収体４の端縁４２は、吸収体４の長手方向の両端縁のうち、前記ウエスト端縁１１に近い方の端縁である。
【００１５】
本実施形態におけるダーツ部９は、図３に示すように、裏面シート３の一部３１が折り畳まれ、その折り畳まれた状態が固定されて形成されている。
ダーツ部９を構成する裏面シート３の一部３１は、図３に示すように、おむつ１の長手方向に沿って延びる２本の折り曲げ部３２，３３それぞれにおいて折り曲げられており、全体としてＺ字状に折り畳まれている。
２本の折り曲げ部３２，３３のうち、おむつ中央線ＣＬに近い方の折り曲げ部３２においては、裏面シート３が、非肌当接面側の面３ａが谷、肌当接面側の面３ｂが山となるように折り曲げられており、その折り曲げにより、折り畳まれた部分３１に、相対向する２面３４，３４が生じている。
２本の折り曲げ部３２，３３のうち、おむつ中央線ＣＬから遠い方の折り曲げ部３３においては、裏面シート３が、非肌当接面側の面３ａが山、肌当接面側の面３ｂが谷となるように折り曲げられており、その折り曲げにより、折り畳まれた部分３１に、相対向する他の２面３５，３５が生じている。
【００１６】
そして、裏面シート３の折り畳まれた部分３１，３１は、相対向する前記２面３４，３４同士が接着剤３６を介して接合され、相対向する前記２面３５，３５同士も接着剤３７により接合されている。
また、本実施形態におけるダーツ部９は、その全体が背側部Ａのウエストフラップ部Ｄに形成されており、該ウエストフラップ部Ｄに位置するダーツ部９全体の肌当接面側が、図３に示すように、前述した表面シート２によって被覆されている。
図３に示すように、本実施形態における裏面シート３は、折り畳まれてダーツ部９を形成する部分３１を含めて実質的におむつ幅方向の全域が、表面シート２に塗工された接着剤３８を介して表面シート２に接合されている。
尚、ダーツ部９，９を形成する前の裏面シート３においては、ウエスト端縁１１からレッグ用凹欠部の端部１３，１３（図２参照）までの、おむつ幅方向の長さは均一である。
【００１７】
本実施形態におけるダーツ部９，９は、相対向する前記２面３４，３４同士の接合、及び相対向する前記他の２面３５，３５同士の接合によって、その折り畳まれた状態が安定に維持（固定）されている。裏面シート３と表面シート２との接合により、ダーツ部９，９の折り畳まれた状態が一層安定する。
【００１８】
本実施形態のおむつ１によれば、背側部ＡのウエストフラップＤにおける裏面シート３にダーツ部９，９が形成されているため、該裏面シート３のおむつ幅方向の長さ及び裏面シート３の該長さに合わせて製造したおむつ１の幅が、該ダーツ部９，９を有する部分において狭められている。
従って、おむつの着用時に、ファスニングテープ５を引っ張りランディングテープ６に止着することにより、背側部Ａのダーツ部９，９を有する部分が、着用者の腰回りに良好にフィットする。
しかも、裏面シート３のダーツ部９を有する部分が、折り畳まれていない表面シート２によって被覆されているため、ダーツ部９が、着用者の肌を刺激したり、圧迫することを防止する。また、ダーツ部９が、おむつ１の肌当接面に段差やシワ等を生じさせることも防止するので、着用者に違和感を与えたり、段差やシワ等を介して漏れが生じることを防止することができる。
【００１９】
本発明において、ダーツ部あるいはタック部のおむつ長手方向の長さＬ１（図２参照）は、ウエストフラップ部Ｄの長さＬ２（図２参照）の１０〜２００％であることが好ましく、より好ましくは３０〜１５０％であり、更に好ましくは５０〜１２０％である。
また、ダーツ部あるいはタック部のおむつ幅方向の長さＬ３（図３参照）は、２〜１５ｍｍであることが好ましく、より好ましくは３〜１０ｍｍである。おむつ１のように、ダーツ部あるいはタック部９をおむつの幅方向に複数形成する場合、それらのダーツ部あるいはタック部９のおむつ幅方向の長さＬ３の合計は、背側部Ａのウエスト端縁１１の全長Ｌ４（図２参照）の１〜１５％であることが好ましく、より好ましくは１．５〜１０％であり、更に好ましくは２〜８％である。
【００２０】
本実施形態のおむつ１におけるダーツ部９は、図４に示すダーツ部９のように、その長手方向の実質的に全域において、相対向する前記２面３４，３４同士及び相対向する前記他の２面３５，３５同士が接合されている。
図４に示すダーツ部９，９Ｃ、タック部９Ａ、９Ｂにおいて、斜線を付した部分が、相対向する前記２面３４，３４同士及び相対向する前記他の２面３５，３５同士が接合されている部分である。図４に示すタック部９Ａ及び９Ｂのように、おりたたむ部分の長手方向の一部のみにおいて、前述する相対向面（面３４と面３４、面３５と面３５）が接合されていても良い。
【００２１】
また、図４に示すダーツ部９Ｃのように、ダーツ部あるいはタック部は、ウエストフラップ部Ｄに位置する部分９１と、背側部における吸収体４の端縁４２の位置より股下部Ｂ側に位置する部分９２とを有していても良い。
ダーツ部あるいはタック部９の吸収体４と重なる部分９２は、吸収体４の存在によって、おむつの肌当接面に段差やシワ等を形成しないため、着用者に違和感等を与えることなく、裏面シート３の幅を狭くする程度を大きくすることができる。
【００２２】
また、本実施形態のおむつ１におけるダーツ部９は、図１に示すように、おむつの幅方向における、一方のレッグ部弾性部材８の位置と他方のレッグ部弾性部材８の位置との間（図５中にＧで示す範囲）に形成されている。一方のレッグ部弾性部材８の位置及び他方のレッグ部弾性部材８の位置とは、図５に示すように、おむつ１の左右両側にそれぞれ複数本のレッグ部弾性部材８が配されている場合には、おむつの左右それぞれにおいて、おむつ幅方向の最も外側に位置するレッグ部弾性部材８ａ，８ａの位置Ｐ８，Ｐ８とする。
このように、ダーツ部あるいはタック部９，９を、レッグ部弾性部材８ａ，８ａの位置Ｐ８，Ｐ８間に設けることが、ダーツ部あるいはタックにより胴周り寸法を縮める部分が着用者の背部に位置するため、ウエストフラップ部に生じやすい肌との隙間を解消する観点から好ましい。
【００２３】
また、本実施形態のおむつ１におけるダーツ部９は、図１に示すように、吸収体４の幅内（図５中にＥで示す範囲）に形成されている。
ダーツ部あるいはタック部９が吸収体４の幅内にあると、吸収体４の長手方向の端部（端縁４２近傍）の、着用者の肌に対するフィット性を向上させることができる。この構成は、ウエスト端縁１１と吸収体の端縁４２との間の距離Ｌ２（図２参照）が比較的広い場合、例えば前記距離Ｌ２が２５ｍｍ以上、特に３０〜６０ｍｍの場合に、より好ましい。
【００２４】
おむつ１における各部の形成材料について説明すると、中央シート２１、サイドシート２２，２２、裏面シート３、吸収体４等としては、従来の使い捨ておむつにおいて、それぞれの材料として従来用いられている各種の材料等を、特に制限なく用いることができる。
例えば、中央シート２１としては、各種製法による不織布や、開孔フィルム、これらの積層体等を用いることができる。サイドシート２２としては、撥水性の不織布（サーマルボンド不織布、スパンボンド不織布、スパンボンドーメルトブローンースパンボンド不織布、スパンボンドーメルトブローンーメルトブローンースパンボンド不織布等）や、樹脂フィルムと不織布との積層体等を用いることができる。裏面シート３としては、透湿性又は非透湿性の樹脂フィルムやこれに不織布を一体化させた積層体等を用いることができる。裏面シート３としては、吸収体４と重ねて配置されるおむつの幅方向中央部が、液不透過性又は撥水性のシートと液透過性の不織布との積層構造を有する一方、おむつの長手方向の両側部に、液透過性の不織布のみが延出した部分を有するものを用いることもできる。
吸収体４としては、パルプ繊維等からなる繊維集合体（不織布でも良い）又はこれに高吸水性ポリマーを保持させたものを、ティッシュペーパーや透水性の不織布で被覆してなるもの等を用いることができる。
【００２５】
以上、本発明の使い捨ておむつの一実施形態を示して本発明を説明したが、本発明は、前述した実施形態に制限されるものではなく、本発明の趣旨を逸脱しない範囲において種々変形可能である。
【００２６】
例えば、上述したおむつ１におけるダーツ部９は、吸収体４の幅内に形成されていたが、図５中に示すダーツ部９Ｄのように、おむつ幅方向における、吸収体の両側縁４１，４１それぞれの位置と、該各側縁４１の外方に位置するレッグ部弾性部材８の位置Ｐ８との間（図５中に符号Ｆで示す範囲）にダーツ部あるいはタック部を形成することもできる。
ダーツ部あるいはタック部９Ｄを、そのような部位Ｆに設けることにより、吸収体４の端縁４２の近傍にゆがみが生じるのを防止でき、吸収体４と肌との間の隙間を一層防止することができる。この構成は、ダーツ部あるいはタックの幅方向の長さＬ３が（図３参照）が比較的長い場合、例えば前記長さＬ３が７ｍｍ以上、特に７〜１５ｍｍの場合に、より好ましい。
【００２７】
また、上述したおむつ１のダーツ部９においては、２組の相対向する面同士が接合されていたが、何れか一方の相対向面同士（面１４と面１４、又は面１５と面１５）のみが接合されていても良い。
また、ダーツ部あるいはタック部９を形成するための裏面シート３の折り曲げ方を、図６に示すダーツ部あるいはタック部９Ｅのようにしても良い。
また、一つの使い捨ておむつにダーツ部とタック部との組み合わせて設けることもできる。
【００２８】
また、上述したおむつ１においては、表面シート２として、中央シート２１及び一対のサイドシート２２からなる複合シートを用いており、ダーツ部９の肌当接面側を、中央シート２１とサイドシート２２の積層部分が覆っていたが、ダーツ部あるいはタック部９の肌当接面側を中央シート２１のみ、又はサイドシート２２のみからなる部分が覆っていても良い。また、中央シート２１及び一対のサイドシート２２からなる複合シートに代えて、裏面シート３と同形状の一枚のシートからなる表面シートを用いることもできる。
更に、ダーツ部あるいはタック部９の折り畳み形状を固定するための接合方法としては、接着剤に代えて、ヒートシール、超音波シール、高周波シール等の各種公知の接合方法を用いることもできる。
【００２９】
本発明の使い捨ておむつにおいては、背側部Ａのウエストフラップ部Ｄに、おむつ幅方向に沿って弾性部材を配する必要はないが、そのような弾性部材を配しても良い。例えば、上述したおむつ１の背側部Ａのウエストフラップ部Ｄにおける、表面シート２と裏面シート３との間に、おむつ幅方向に沿って糸状又は帯状の弾性部材を配することもできる。
弾性部材は、ダーツ部あるいはタック部９において折り畳まれている裏面シート３と一体的に折り畳まれていても良いし、折り畳まれることなく、表面シート２とダーツ部あるいはタック部９との間に配されていても良い。
本発明においては、ダーツ部あるいはタック部９と交差するように弾性部材を配しても、おむつの肌当接面に段差やシワ、隆起部等が形成されにくいので、違和感等を与えることなく、フィット性の一層の向上を図ることができる。
【図面の簡単な説明】
【００３０】
【図１】図１は、本発明の一実施形態である使い捨ておむつを一部破断して示す平面図である。
【図２】図２は、図１に示す使い捨ておむつを非肌当接面側から視た図である。
【図３】図３は、図２のＩＩＩ−ＩＩＩ線断面を示す模式図である。
【図４】図４は、ダーツ部あるいはタック部のバリエーションを示す模式図である。
【図５】図５は、ダーツ部あるいはタック部を設ける好ましい領域を説明するための説明図である。
【図６】図６は、本発明の他の実施形態におけるウエストフラップ部の断面を示す模式図（図３相当図）である。
【符号の説明】
【００３１】
１  使い捨ておむつ
２  表面シート
２１  中央シート
２２  サイドシート
３  裏面シート
４  吸収体
４２  吸収体の端縁
５  ファスニングテープ
６  ランディングテープ
７  立体ギャザー
８  レッグ部弾性部材
９  ダーツ部あるいはタック部
Ａ  背側部
Ｂ  股下部
Ｃ  腹側部
【図１】
2010099279.tif 000003
【図２】
2010099279.tif 000004
【図３】
2010099279.tif 000005
【図４】
2010099279.tif 000006
【図５】
2010099279.tif 000007
【図６】
2010099279.tif 000008